(57)【要約】【課題】  従来のフィルター清掃装置のエアノズルは、フィルターの上下幅に亘ってエアを吹き付ける構成であるので、多量のエアを要するばかりでなく、吹き出すエアが交錯して効率良く塵を除去できないおそれがある。外周のフィルター面が九十九折状になっていると、フィルター面の折れ曲がり部分の塵が除去し難く、エアの吹き付けだけでは効率良く塵を除去できないおそれがある。【解決手段】  清掃するフィルター（４）を回転させる回転装置（５）と、回転するフィルター（４）の外側からエアを吹き付けるエアノズル（６）と、回転するフィルター（４）の外面に接触して振動させる接触部材（７）と、エアノズル（６）をフィルター（４）の回転軸心方向に沿って移動させるエアノズル移動機構を設けたフィルター清掃装置とした。【選択図】図１
2010125433.tif 000002
【特許請求の範囲】
【請求項１】
清掃するフィルター（４）を回転させる回転装置（５）と、回転するフィルター（４）の外側からエアを吹き付けるエアノズル（６）と、回転するフィルター（４）の外面に接触して振動させる接触部材（７）と、エアノズル（６）をフィルター（４）の回転軸心方向に沿って移動させるエアノズル移動機構（８）を設けたフィルター清掃装置。
【請求項２】
開閉扉（２）により閉塞される清掃室（３）内にフィルター（４）を装填して清掃する構成とし、清掃室（３）内において、フィルター（４）を載せて回転駆動する下部回転台（１９）と、上下動アクチュエータ（２０）の作動で下動することによりフィルター（４）の上端部に上側から押圧してフィルター（４）を回転可能に支持する上部回転台（２１）を備えて回転装置（５）を構成し、開閉扉（２）と対向する壁面に上下方向のノズル通過溝（２３）を設け、エアノズル（６）の先端部をノズル通過溝（２３）から挿入した構成とし、ノズル通過溝（２３）の左右両縁には該ノズル通過溝（２３）の隙間を塞ぐ弾性部材（２４）を設け、接触部材（７）をエアノズル（６）に対してフィルター（４）の回転方向上手に設け、該接触部材（７）をフィルター（４）の外面に接触する接触位置と前記外面から離れる離間位置の間で移動させる接触部材移動機構（２６）を設け、上下動アクチュエータ（２０）による上部回転台（２１）の下動と接触部材移動機構（２６）による前記接触位置への接触部材（７）の移動とを連動して行うための第一の操作手段（３４）と、エアノズル（６）からのエアの吐出とエアノズル移動機構（８）によるエアノズル（６）の上下動とを連動して行うための第二の操作手段（３６）とを設けた請求項１に記載のフィルター清掃装置。
【発明の詳細な説明】
【技術分野】
【０００１】
本発明は、外周にフィルター面を備える円筒状のフィルターに付着した塵を除去して清掃するフィルター清掃装置に関するものである。
【背景技術】
【０００２】
外周に九十九折状のフィルター面を備える円筒状のフィルターに付着した塵を除去して清掃するフィルター清掃装置において、清掃するフィルターを上下方向の軸心回りに回転させる回転装置と、回転するフィルターの外側からエアを吹き付けるエアノズルを設けた構成が知られている。前記エアノズルは、上下に複数配列され、フィルターの回転軸心方向となる上下幅に亘ってエアを吹き付ける構成となっている。
【特許文献１】特開平６−１５４５３１号公報
【発明の開示】
【発明が解決しようとする課題】
【０００３】
背景技術のエアノズルは、フィルターの上下幅に亘ってエアを吹き付ける構成であるので、多量のエアを要するばかりでなく、吹き出すエアが交錯して効率良く塵を除去できないおそれがある。外周のフィルター面が九十九折状になっていると、フィルター面の折れ曲がり部分の塵が除去し難く、エアの吹き付けだけでは効率良く塵を除去できないおそれがある。
【課題を解決するための手段】
【０００４】
本発明は、上記課題を解決するべく次の技術的手段を講じた。  
請求項１記載の発明は、清掃するフィルター（４）を回転させる回転装置（５）と、回転するフィルター（４）の外側からエアを吹き付けるエアノズル（６）と、回転するフィルター（４）の外面に接触して振動させる接触部材（７）と、エアノズル（６）をフィルター（４）の回転軸心方向に沿って移動させるエアノズル移動機構（８）を設けたフィルター清掃装置とした。
【０００５】
従って、回転装置（５）によりフィルター（４）を回転させ、接触部材（７）を回転するフィルター（４）の外面に接触させて振動させながら、エアノズル（６）によりフィルター（４）の外側からエアを吹き付けて塵を除去する。また、エアノズル移動機構（８）により、フィルター（４）の回転軸心方向の全幅に亘ってエアを吹き付ける。
【０００６】
請求項２記載の発明は、開閉扉（２）により閉塞される清掃室（３）内にフィルター（４）を装填して清掃する構成とし、清掃室（３）内において、フィルター（４）を載せて回転駆動する下部回転台（１９）と、上下動アクチュエータ（２０）の作動で下動することによりフィルター（４）の上端部に上側から押圧してフィルター（４）を回転可能に支持する上部回転台（２１）を備えて回転装置（５）を構成し、開閉扉（２）と対向する壁面に上下方向のノズル通過溝（２３）を設け、エアノズル（６）の先端部をノズル通過溝（２３）から挿入した構成とし、ノズル通過溝（２３）の左右両縁には該ノズル通過溝（２３）の隙間を塞ぐ弾性部材（２４）を設け、接触部材（７）をエアノズル（６）に対してフィルター（４）の回転方向上手に設け、該接触部材（７）をフィルター（４）の外面に接触する接触位置と前記外面から離れる離間位置の間で移動させる接触部材移動機構（２６）を設け、上下動アクチュエータ（２０）による上部回転台（２１）の下動と接触部材移動機構（２６）による前記接触位置への接触部材（７）の移動とを連動して行うための第一の操作手段（３４）と、エアノズル（６）からのエアの吐出とエアノズル移動機構（８）によるエアノズル（６）の上下動とを連動して行うための第二の操作手段（３６）とを設けた請求項１に記載のフィルター清掃装置とした。
【０００７】
従って、請求項１記載の発明の作用に加えて、フィルター（４）を清掃するとき、開閉扉（２）を開いて清掃室（３）内にフィルター（４）を入れて下部回転台（１９）の上に載せ、第一の操作手段（３４）により、上部回転台（２１）を下動させてフィルター（４）を回転可能に支持すると共に、接触部材（７）を接触位置に移動させる。そして、開閉扉（２）を閉じて清掃室（３）内を閉塞し、下部回転台（１９）を駆動してフィルター（４）を回転しながら、第二の操作手段（３６）により、エアノズル（６）からエアを吹き出しながらエアノズル（６）を上下動させ、フィルター（４）の塵を除去する。清掃が終われば、第二の操作手段（３６）によりエアノズル（６）からのエアの吹き出し及びエアノズル（６）の上下動を停止させ、その後、第一の操作手段（３４）により上部回転台（２１）を上動させると共に接触部材（７）を離間位置に移動させ、開閉扉（２）を開いてフィルター（４）を清掃室（３）内から取り出す。
【発明の効果】
【０００８】
請求項１記載の発明によれば、接触部材（７）を回転するフィルター（４）の外面に接触させて振動させながら、エアノズル（６）によりフィルター（４）の外側からエアを吹き付けて塵を除去するので、フィルター面の折れ曲がり部分の塵が除去し易くなり、効率良く塵を除去できる。また、回転装置（５）によりフィルター（４）を回転させながら、エアノズル移動機構（８）によりフィルター（４）の回転軸心方向の全幅に亘ってエアを吹き付けることができ、フィルター（４）の外周の全面に亘ってまんべんなく塵の除去作業が行え、フィルター（４）への塵の残留を抑えて清掃作業を効率良く行え、フィルター（４）の清掃作業を短時間で行える。
【０００９】
請求項２記載の発明によれば、請求項１記載の発明の効果に加えて、第一の操作手段（３４）の操作により上部回転台（２１）の上下動と接触部材（７）の移動が連動して行われるので、清掃室（３）内にフィルター（４）を装填する作業及び清掃室（３）内からフィルター（４）を取り出す作業を容易に行え、更に第二の操作手段（３６）によりエアノズル（６）からのエアを吹き出しとエアノズル（６）の上下動が連動して行われるので、エアノズル（６）に関する操作を楽に行え、フィルター（４）の清掃作業を能率良く行える。また、フィルター（４）の塵を除去する作業を清掃室（３）内を閉塞して行うので、作業者が塵を吸わないようにでき、作業環境が向上する。
【発明を実施するための最良の形態】
【００１０】
この発明の実施の一形態を、以下に説明する。
フィルター清掃装置１は、開閉扉２により閉塞される清掃室３を備え、清掃室３内において、装填されるフィルター４を上下方向の軸心回りに回転させる回転装置５と、回転するフィルター４の外側から該フィルター４外周のフィルター面に向けてエアを吹き付けるエアノズル６と、回転するフィルター４の外面であるフィルター面に接触して振動させる接触部材７と、エアノズル６をフィルター４の回転軸心方向である上下方向に沿って移動させるエアノズル移動用エアシリンダであるエアノズル移動機構８を設けている。開閉扉２は、左端に取っ手９を備え、右端のヒンジ回りに回動して開閉する構成となっており、略全面が透明であり、作業者が外から清掃室３内のフィルター４の清掃状態を視認できるようになっている。清掃室３の下部は四角錐状の下窄まりの形状で、その下端部の排気口１０に塵を吸引する掃除機１１の吸引ホース１２を接続できる構成となっている。従って、該吸引ホース１２を接続して掃除機１１を運転することにより、清掃室３内の塵を掃除機１１へ吸引しながらフィルター４の清掃作業が行える構成となっている。掃除機１１は、下部の掃除機用キャスター輪１３により移動可能に構成されている。
【００１１】
清掃室３は前後左右計４本の支持脚１４を備える車台１５に支持され、該車台１５は前後左右計４個の清掃装置用キャスター輪１６により移動可能に構成されている。
ここで、フィルター清掃装置１で清掃されるフィルター４の構造について説明する。フィルター４は、外周にフィルター面を備える円筒形状のものであり、中央部が空洞１６となっている。上下両端にはドーナツ形状の穴付き円板１７を備え、この上下の穴付き円板１７の間に中央部が空洞１６となるようフィルター材１８を設けている。外周のフィルター面は九十九折状になっており、フィルター表面の面積を増大させている。
【００１２】
回転装置５は、フィルター４を載せる下部回転台１９と、上下動用エアシリンダである上下動アクチュエータ２０の作動で下動することによりフィルター４の上端部に上側から押圧してフィルター４を回転可能に支持する上部回転台２１を備える。尚、下部回転台１９は、その下方に設けた駆動モータ２２により駆動回転する構成であり、中央の上面が上側に突出する突出部１９ａとなっている。従って、該突出部１９ａにフィルター４の中央部の空洞１６が嵌るようにフィルター４を載せ、フィルター４の位置決めを容易に行えると共に安定してフィルター４を載せることができる構成となっている。下部回転台１９すなわちフィルター４の駆動回転方向は、上から見て左回転となる。
【００１３】
開閉扉２と対向する壁面に上下方向のノズル通過溝２３を設け、エアノズル６の先端部をノズル通過溝２３から清掃室３内へ挿入した構成としている。ノズル通過溝２３の左右両縁には該ノズル通過溝２３の隙間を塞ぐ密閉用ゴムである弾性部材２４を設け、清掃室３内のエアや塵が清掃室３外へ洩れないようにしている。尚、ノズル通過溝２３は、装填されるフィルター４の上下幅の全域に亘るように上下に長く構成されている。
【００１４】
清掃室３内の右側部には、突子である接触部材７を上下に複数個（５個）並べて設けている。従って、フィルター４の回転方向が上から見て左回転であるため、エアノズル６の回転上手側の回転角度で９０度手前の位置に複数個の接触部材７が位置する。該複数個の接触部材７は、上下方向に長い取付プレート２５に取り付けられ、清掃室３の右側の壁部に設けた接触部材移動用エアシリンダである接触部材移動機構２６により左右に移動する構成となっている。該接触部材移動機構２６により接触部材７を左側（フィルター４側）へ移動させると、該接触部材７がフィルター４の外面のひだの突出部に接触する接触位置に位置し、接触部材移動機構２６により接触部材７を右側（フィルター４とは反対側、右側の壁部側）へ移動させると、接触部材７がフィルター４の外面から離れる離間位置に位置する。
【００１５】
清掃室３の右側には、回転装置５の回転駆動を操作するための回転操作ボックス２７を設けている。該回転操作ボックス２７の下部には、回転装置５の駆動モータ２２の駆動を入切するための回転入切スイッチ２８を設けている。回転操作ボックス２７の上部には、駆動モータ２２の回転速度を調節するための回転速度調節ダイヤル２９を設けている。
【００１６】
次に、空気圧回路の構成について説明すると、上部回転台２１の上下動アクチュエータ２０及び接触部材移動機構２６のフィルター装着系統へエアを供給するフィルター装着系回路３１と、エアノズル６及びエアノズル移動機構８のエアノズル系統へエアを供給するエアノズル系回路３２を備え、エア源であるエアーリザーバタンク３０からフィルター装着系回路３１とエアノズル系回路３２とに分岐して空気圧を供給する構成となっている。フィルター装着系回路３１には装着用切替弁３３を備え、該装着用切替弁３３を介して上下動アクチュエータ２０及び接触部材移動機構２６へ空気圧が供給される構成となっている。従って、装着用切替弁３３の切替により、上下動アクチュエータ２０及び接触部材移動機構２６へ空気圧が供給されると、上部回転台２１が下動すると共に接触部材７が接触位置へ移動し、上下動アクチュエータ２０及び接触部材移動機構２６への空気圧の供給を断つと、別途設けた戻りスプリング等により上部回転台２１が上動すると共に接触部材７が離間位置へ移動する。装着用切替弁３３は、装着用操作レバーである第一の操作手段３４により切替操作される。
【００１７】
エアノズル系回路３２にはエアノズル用切替弁３５を備え、該エアノズル用切替弁３５を介してエアノズル６ヘ空気圧が供給される構成となっている。エアノズル用切替弁３５は、エアノズル用操作レバーである第二の操作手段３６により切替操作される。また、エアノズル用切替弁３５の空気圧供給下手側から分岐して空気圧が供給されるエアノズル移動用切替弁３７を設け、該エアノズル移動用切替弁３７を介してエアノズル移動機構８へ空気圧が供給される構成となっている。また、エアノズル用切替弁３５の空気圧供給下手側から更に分岐して空気圧が供給される上動切替用パイロット圧切替弁３８及び下動切替用パイロット圧切替弁３９を備えている。尚、該上動切替用パイロット圧切替弁３８及び下動切替用パイロット圧切替弁３９からのパイロット圧により、エアノズル移動用切替弁３７を切替操作する構成となっている。更に、エアノズル移動機構８の上下作動ロッド８ａすなわちエアノズル６と一体で上下動する上動切替用治具４０及び下動切替用治具４１を設けている。従って、エアノズル移動用切替弁３７によりエアノズル６が上動して上死点位置に達すると、下動切替用治具４１が下動切替用パイロット圧切替弁３９を切り替えることにより、エアノズル移動用切替弁３７が切り替えられてエアノズル６が下動する。エアノズル６が下動して下死点位置に達すると、上動切替用治具４０が上動切替用パイロット圧切替弁３８を切り替えることにより、エアノズル移動用切替弁３７が切り替えられてエアノズル６が上動する。従って、エアノズル６は、所定の作動ストロークで上下に往復して移動する。
【００１８】
第一の操作手段３４及び第二の操作手段３６は、車台１５の支持脚１４に固着される操作具支持用プレート４２に取り付けられ、清掃室３の前側で且つ開閉扉２よりも下位の右寄りの位置に左右に並べて配置されている。すなわち、右側に第一の操作手段３４、左側に第二の操作手段３６が配置されている。
【００１９】
次に、このフィルター清掃装置１によるフィルター４の清掃作業の手順について説明する。先ず開閉扉２を開き、清掃するべきフィルター４を下部回転台１９に載せる。このとき、第一の操作手段３４の操作により、上部回転台２１が上動すると共に接触部材７が離間位置へ移動した状態にし、上部回転台２１や接触部材７が邪魔にならずにフィルター４を容易に下部回転台１９に載せられるようにする。そして、第一の操作手段３４の操作により、上部回転台２１を下動させてフィルター４を上部回転台２１と下部回転台１９で挟み込んでチャッキングし回転可能に支持すると共に、接触部材７を接触位置へ移動させ、開閉扉２を閉める。尚、開閉扉２を先に閉めてから、第一の操作手段３４の操作でフィルター４をチャッキングすると共に接触部材７を接触位置へ移動させてもよい。そして、回転入切スイッチ２８の操作により、下部回転台１９を回転させてフィルター４を回転させる。このフィルター４の回転により、接触部材７がフィルター４の外面のひだの突出部に間欠的に接触してフィルター面に振動を与え、付着する塵が落ち易くなる。また、第二の操作手段３６の操作により、エアノズル６からフィルター面へエアを吹き付けると共に、エアノズル６を上下に移動させる。フィルター４の上下幅の全幅に亘ってエアを吹き付け、フィルター面に付着する塵を除去する。作業者は、開閉扉２の透明部分からフィルター４の清掃状況を見ながら、清掃できたと判断すれば、第二の操作手段３６の操作により、エアノズル６からのエアの吹き出し及びエアノズル６の上下動を停止させ、回転入切スイッチ２８の操作により、フィルター４の回転を停止させ、その後、第一の操作手段３４の操作により、上部回転台２１を上動させると共に接触部材７を離間位置に移動させ、開閉扉２を開いてフィルター４を清掃室３内から取り出す。尚、開閉扉２を開いてから、第一の操作手段３４により上部回転台２１を上動させると共に接触部材７を離間位置に移動させてもよい。
【００２０】
フィルター清掃作業において、フィルター面への塵の付着力が大きく塵が除去し難い場合は、回転速度調節ダイヤル２９の操作によりフィルター４の回転速度を遅くし、フィルター面の同じ箇所に長めにエアが吹き付けられるようにし、強力に付着する塵を除去できるようにすればよい。また、フィルター面への塵の付着力が小さく塵が除去し易い場合は、回転速度調節ダイヤル２９の操作によりフィルター４の回転速度を早くし、フィルター面の全面に亘ってできるだけ満遍なくエアが吹き付けられるようにし、確実に塵を除去すると共に、作業能率を向上させるようにすればよい。
【００２１】
よって、接触部材７を回転するフィルター４の外面に接触させて振動させながら、エアノズル６によりフィルター４の外側からエアを吹き付けて塵を除去するので、フィルター面の折れ曲がり部分の塵が除去し易くなり、効率良く塵を除去できる。また、回転装置５によりフィルター４を回転させながら、エアノズル移動機構８によりフィルター４の回転軸心方向の全幅に亘ってエアを吹き付けることができ、フィルター４の外周の全面に亘ってまんべんなく塵の除去作業が行え、フィルター４への塵の残留を抑えて清掃作業を効率良く行え、フィルター４の清掃作業を短時間で行える。
【００２２】
また、第一の操作手段３４の操作により上部回転台２１の上下動と接触部材７の移動が連動して行われるので、清掃室３内にフィルター４を装填する作業及び清掃室３内からフィルター４を取り出す作業を容易に行え、更に第二の操作手段３６によりエアノズル６からのエアを吹き出しとエアノズル６の上下動が連動して行われるので、エアノズル６に関する操作を楽に行え、フィルター４の清掃作業を能率良く行える。また、フィルター４の塵を除去する作業を清掃室３内を閉塞して行うので、作業者が塵を吸わないようにでき、作業環境が向上する。
【図面の簡単な説明】
【００２３】
【図１】フィルター清掃装置を示す正面図
【図２】エアノズル、上部回転台及び下部回転台を示す側面図
【図３】フィルターを示す斜視図
【図４】空気圧回路を示す図
【符号の説明】
【００２４】
１：乗用型苗植機、２：走行車体、４：苗植付部、１１：後輪、１２：エンジン、２１：伝動装置、３４：ハンドル、１６３：制御装置、１８６：報知装置、２０５：走行距離検出センサ、２１１：サイドクラッチ
【図１】
2010125433.tif 000003
【図２】
2010125433.tif 000004
【図３】
2010125433.tif 000005
【図４】
2010125433.tif 000006